(57)【要約】  本開示は、短縮ＴＴでの送信のシグナリングに関する。本開示は、ＲＢＳ（１０２）、およびＲＢＳ（１０２）において実施される、無線通信デバイス（１０３）のためのリソースをスケジューリングする方法にさらに関する。本開示はまた、無線通信デバイス（１０３）、および無線通信デバイス（１０３）において実施される、データ送信またはデータ受信がグラントされる方法にさらに関する。本開示の第１の態様において、ＲＢＳ（１０２）において実施される方法は、ＤＣＩおよびダウンリンク制御チャネルのデータフレーム内の上記ＤＣＩの位置に基づいて、無線通信デバイス（１０３）がデータを送信または受信するためのリソースのグラントを示すこと（Ｓ５）を含む、無線通信デバイス（１０３）のためのリソースをスケジューリングするというものが提供される。【選択図】図１
2019534613.tif 000002
【特許請求の範囲】
【請求項１】
無線基地局（ＲＢＳ）（１０２）において実施される、無線通信デバイス（１０３）のためのリソースをスケジューリングする方法であって、
ダウンリンク制御情報（ＤＣＩ）およびダウンリンク制御チャネルのデータフレーム内の前記ＤＣＩの位置に基づいて、前記無線通信デバイス（１０３）がデータを送信または受信するためのリソースのグラントを示すこと（Ｓ５）を含む、方法。
【請求項２】
前記無線通信デバイス（１０３）がアップリンク送信またはダウンリンク受信を実施する必要性を検出すること（Ｓ１）をさらに含む、請求項１に記載の方法。
【請求項３】
前記ダウンリンク制御チャネル上の前記データフレームを前記無線通信デバイス（１０３）に送信するための時間間隔を選択すること（Ｓ３）をさらに含む、請求項１または２に記載の方法。
【請求項４】
データの送信または受信がグラントされることを前記無線通信デバイス（１０３）に示すように前記ＤＣＩのビットフィールドを設定すること（Ｓ４）をさらに含む、請求項１から３のいずれか一項に記載の方法。
【請求項５】
グラントされた前記リソースの標示の際に、前記無線通信デバイス（１０３）にデータを送信すること、または前記無線通信デバイス（１０３）からデータを受信すること（Ｓ８）をさらに含む、請求項１から４のいずれか一項に記載の方法。
【請求項６】
前記ＤＣＩ内で、アップリンク送信において送信されるべき復調用参照信号（ＤＭＲＳ）の位置をシグナリングすることをさらに含む、請求項１から５のいずれか一項に記載の方法。
【請求項７】
ダウンリンク制御チャネルのデータフレーム内の前記ＤＣＩの前記位置が、ダウンリンクショート送信時間間隔（ｓＴＴＩ）指数を用いて示される、請求項１から６のいずれか一項に記載の方法。
【請求項８】
前記無線通信デバイス（１０３）にグラントされるリソースの量およびデータの送信または受信のタイミングを決定すること（Ｓ２）をさらに含む、請求項１から７のいずれか一項に記載の方法。
【請求項９】
前記ＤＣＩおよびダウンリンク制御チャネルのデータフレーム内の前記ＤＣＩの前記位置が、ＤＭＲＳ設定、データシンボル設定、および前記無線通信デバイスのアップリンク送信またはダウンリンク受信のための対応するデータフレームのショートＴＴＩ長を示す、請求項１から８のいずれか一項に記載の方法。
【請求項１０】
無線通信デバイス（１０３）のためのリソースをスケジューリングするように設定される無線基地局（ＲＢＳ）（１０２）であって、処理ユニット（１３１）およびメモリ（１３３）を備え、前記メモリが、前記処理ユニットによって実行可能な命令（１３２）を含み、それにより前記ＲＢＳ（１０２）が、ダウンリンク制御情報（ＤＣＩ）およびダウンリンク制御チャネルのデータフレーム内の前記ＤＣＩの位置に基づいて、前記無線通信デバイス（１０３）がデータを送信または受信するためのリソースのグラントを示すように作動する、無線基地局（ＲＢＳ）（１０２）。
【請求項１１】
前記無線通信デバイス（１０３）がアップリンク送信またはダウンリンク受信を実施する必要性を検出するようにさらに作動する、請求項１０に記載のＲＢＳ（１０２）。
【請求項１２】
前記ダウンリンク制御チャネル上の前記データフレームを前記無線通信デバイス（１０３）に送信するための時間間隔を選択するようにさらに作動する、請求項１５または１６に記載のＲＢＳ（１０２）。
【請求項１３】
グラントの標示の際に、前記無線通信デバイス（１０３）にデータを送信する、または前記無線通信デバイス（１０３）からデータを受信するようにさらに作動する、請求項１５から２０のいずれか一項に記載のＲＢＳ（１０２）。
【請求項１４】
前記ＤＣＩ内で、アップリンク送信において送信されるべき復調用参照信号（ＤＭＲＳ）の位置をシグナリングするようにさらに作動する、請求項１５から２１のいずれか一項に記載のＲＢＳ（１０２）。
【請求項１５】
ダウンリンクショート送信時間間隔（ｓＴＴＩ）指数を用いて、ダウンリンク制御チャネルのデータフレーム内の前記ＤＣＩの前記位置を示すようにさらに作動する、請求項１５から２２のいずれか一項に記載のＲＢＳ（１０２）。
【請求項１６】
前記無線通信デバイス（１０３）にグラントされるリソースの量およびデータの送信または受信のタイミングを決定するようにさらに作動する、請求項１５から２３のいずれか一項に記載のＲＢＳ（１０２）。
【請求項１７】
前記ＤＣＩおよびダウンリンク制御チャネルのデータフレーム内の前記ＤＣＩの前記位置により、ＤＭＲＳ設定、データシンボル設定、および前記無線通信デバイス（１０２）のアップリンク送信またはダウンリンク受信のための対応するデータフレームのショートＴＴＩ長を示すようにさらに設定される、請求項１から１６のいずれか一項に記載のＲＢＳ（１０２）。
【請求項１８】
無線通信デバイス（１０３）において実施される、データ送信またはデータ受信がグラントされる方法であって、
無線基地局（ＲＢＳ）（１０２）からダウンリンク制御チャネルのデータフレームを受信すること（Ｓ５）と、
ダウンリンク制御情報（ＤＣＩ）および前記ダウンリンク制御チャネルの前記データフレーム内の前記ＤＣＩの位置に基づいて、データの送信または受信のグラントされたリソースを決定すること（Ｓ７）と、を含む、方法。
【請求項１９】
グラントされた前記リソースを使用して、前記ＲＢＳ（１０２）にデータを送信すること、または前記ＲＢＳ（１０２）からデータを受信すること（Ｓ８）をさらに含む、請求項１８に記載の方法。
【請求項２０】
前記ＤＣＩから、アップリンク送信において送信されるべき復調用参照信号（ＤＭＲＳ）の位置を決定することをさらに含む、請求項１８または１９に記載の方法。
【請求項２１】
前記ダウンリンク制御チャネルの前記データフレーム内の前記ＤＣＩの前記位置が、前記ＤＣＩが送信されるダウンリンクショート送信時間間隔（ｓＴＴＩ）指数によって得られる、請求項１８から２０のいずれか一項に記載の方法。
【請求項２２】
前記ＤＣＩおよび前記ダウンリンク制御チャネルの前記データフレーム内の前記ＤＣＩの前記位置から、ＤＭＲＳ設定、データシンボル設定、およびアップリンク送信またはダウンリンク受信のための対応するデータフレームのショートＴＴＩ長を決定することをさらに含む、請求項１８から２１のいずれか一項に記載の方法。
【請求項２３】
前記ダウンリンク制御チャネルの前記データフレーム内の前記ＤＣＩの位置から、グラントされたアップリンクリソースのスケジューリングを決定することをさらに含む、請求項１８から２２のいずれか一項に記載の方法。
【請求項２４】
受信された前記ＤＣＩについて、グラントされた前記リソースが、既定の数のショート送信時間間隔（ｓＴＴＩ）におけるアップリンク送信のために、前記ＤＣＩが受信される前記ｓＴＴＩからスケジューリングされる、請求項１８から２３のいずれか一項に記載の方法。
【請求項２５】
受信された前記ＤＣＩについて、グラントされた前記リソースが、次のサブフレーム内の対応するｓＴＴＩ指数におけるアップリンク送信のためにスケジューリングされる、請求項１８から２３のいずれか一項に記載の方法。
【請求項２６】
データ送信またはデータ受信がグラントされるかどうかを決定するように設定される無線通信デバイス（１０３）であって、処理回路（１２１）およびメモリ（１２３）を備え、前記メモリが、前記処理回路によって実行可能な命令（１２２）を含み、それにより前記無線通信デバイス（１０３）が、
無線基地局（ＲＢＳ）（１０２）からダウンリンク制御チャネルのデータフレームを受信するように、および
ダウンリンク制御情報（ＤＣＩ）および前記ダウンリンク制御チャネルの前記データフレーム内の前記ＤＣＩの位置に基づいて、データの送信または受信のグラントされたリソースを決定するように作動する、無線通信デバイス（１０３）。
【請求項２７】
グラントの標示の際に、前記無線通信デバイス（１０３）にデータを送信する、または前記無線通信デバイス（１０３）からデータを受信するようにさらに作動する、請求項２６に記載の無線通信デバイス（１０３）。
【請求項２８】
前記ＤＣＩから、アップリンク送信において送信されるべき復調用参照信号（ＤＭＲＳ）の位置を決定するようにさらに作動する、請求項２６または２７に記載の無線通信デバイス（１０３）。
【請求項２９】
前記ダウンリンク制御チャネルの前記データフレーム内の前記ＤＣＩの前記位置が、前記ＤＣＩが送信されるダウンリンクショート送信時間間隔（ｓＴＴＩ）指数によって得られる、請求項２６から２８のいずれか一項に記載の無線通信デバイス（１０３）。
【請求項３０】
前記ＤＣＩおよび前記ダウンリンク制御チャネルの前記データフレーム内の前記ＤＣＩの前記位置から、ＤＭＲＳ設定、データシンボル設定、およびアップリンク送信またはダウンリンク受信のための対応するデータフレームのショートＴＴＩ長を決定するようにさらに作動する、請求項２６から２９のいずれか一項に記載の無線通信デバイス（１０３）。
【請求項３１】
前記ダウンリンク制御チャネルの前記データフレーム内の前記ＤＣＩの位置から、グラントされたアップリンクリソースを決定するようにさらに作動する、請求項２６から３０のいずれか一項に記載の無線通信デバイス（１０３）。
【請求項３２】
受信された前記ＤＣＩについて、グラントされた前記リソースが、既定の数のショート送信時間間隔（ｓＴＴＩ）におけるアップリンク送信のために、前記ＤＣＩが受信される前記ｓＴＴＩからスケジューリングされる、請求項２６から３１のいずれか一項に記載の無線通信デバイス（１０３）。
【請求項３３】
受信された前記ＤＣＩについて、グラントされた前記リソースが、次のサブフレーム内の対応するｓＴＴＩ指数におけるアップリンク送信のためにスケジューリングされる、請求項２６から３２のいずれか一項に記載の無線通信デバイス（１０３）。
【請求項３４】
コンピュータ実行可能命令を含むコンピュータプログラム（１２２）であって、前記コンピュータ実行可能命令は、デバイス（１０３）に含まれる処理回路（１２１）上で実行されると、請求項１８から２５のいずれか一項に記載されるステップを前記デバイスに実施させる、コンピュータプログラム（１２２）。
【請求項３５】
コンピュータ可読媒体（１２３）を備えるコンピュータプログラム製品であって、前記コンピュータ可読媒体が、請求項３４に従う前記コンピュータプログラム（１２２）をそこで具現化させる、コンピュータプログラム製品。
【請求項３６】
コンピュータ実行可能命令を含むコンピュータプログラム（１３２）であって、前記コンピュータ実行可能命令は、デバイス（１０２）に含まれる処理回路（１３１）上で実行されると、請求項１から９のいずれか一項に記載されるステップを前記デバイスに実施させる、コンピュータプログラム（１３２）。
【請求項３７】
コンピュータ可読媒体（１３３）を備えるコンピュータプログラム製品であって、前記コンピュータ可読媒体が、請求項３６に従う前記コンピュータプログラム（１３２）をそこで具現化させる、コンピュータプログラム製品。
【発明の詳細な説明】
【技術分野】
【０００１】
本開示は、短縮送信時間間隔（ＴＴＩ）での送信のシグナリングに関する。本開示は、無線基地局（ＲＢＳ）、およびＲＢＳにおいて実施される、無線通信デバイスのためのリソースをスケジューリングする方法にさらに関する。本開示はまた、無線通信デバイス、および無線通信デバイスにおいて実施される、データ送信またはデータ受信がグラントされる方法にさらに関する。
【背景技術】
【０００２】
短いサブフレームを用いたレイテンシ低減
【０００３】
パケットデータレイテンシは、ベンダ、オペレータ、およびさらにはエンドユーザ（速度テストアプリケーションを介して）が定期的に測定する性能指標の１つである。レイテンシ測定は、新しいソフトウェアリリースまたはシステムコンポーネントを検証するとき、システムをデプロイするとき、およびシステムが商業運転にあるとき、無線アクセスネットワークシステム寿命のすべてのフェーズにおいて行われる。
【０００４】
第３世代パートナーシッププロジェクト（３ＧＰＰ）無線アクセス技術（ＲＡＴ）の前世代よりも短いレイテンシは、Ｌｏｎｇ  Ｔｅｒｍ  Ｅｖｏｌｕｔｉｏｎ（ＬＴＥ）の設計を導いた１つの性能指標であった。ＬＴＥはまた、今日では、移動体無線技術の前世代よりも速いインターネットへのアクセスおよび低いデータレイテンシを提供するシステムであると、エンドユーザにより認識される。
【０００５】
パケットデータレイテンシは、システムの認知される反応性のために重要であるだけでなく、システムのスループットに間接的に影響を与えるパラメータでもある。
【０００６】
ハイパーテキスト転送プロトコル／伝送制御プロトコル（ＨＴＴＰ／ＴＣＰ）は、今日インターネット上で使用される優勢なアプリケーションおよびトランスポート層プロトコルスイートである。ＨＴＴＰアーカイブ（ｈｔｔｐ：／／ｈｔｔｐａｒｃｈｉｖｅ．ｏｒｇ／ｔｒｅｎｄｓ．ｐｈｐ）によると、インターネットを介したＨＴＴＰベースのトランザクションの典型的なサイズは、数１０Ｋバイトから最大１Ｍバイトの範囲にある。このサイズ範囲では、ＴＣＰ低速開始期間は、パケットストリームの全トランスポート期間のかなりの部分である。ＴＣＰ低速開始の間、性能はレイテンシ制限を受ける。故に、このタイプのＴＣＰベースのデータトランザクションの場合、改善されたレイテンシは、平均スループットを向上させるために比較的容易に示され得る。
【０００７】
無線リソース効率は、レイテンシ低減によりプラスに影響を受ける可能性がある。より低いパケットデータレイテンシは、特定の遅延限界内で可能な送信数を増大させる可能性があり、したがって、より高いブロック誤り率（ＢＬＥＲ）ターゲットが、無線リソースを解放して潜在的にはシステムの能力を向上させるデータ送信に使用される可能性がある。
【０００８】
パケットレイテンシ低減に関して言うと、取り組むべき１つの分野は、送信時間間隔（ＴＴＩ）の長さに取り組むことによる、データおよび制御シグナリングのトランスポート時間の低減である。ＬＴＥリリース８では、ＴＴＩは、１ミリ秒の長さの１つのサブフレーム（ＳＦ）に相当する。１つのそのような１ｍｓのＴＴＩは、通常のサイクリックプレフィックスの場合は１４個の直交周波数分割多重アクセス（ＯＦＤＭ）またはシングルキャリア周波数分割多重アクセス（ＳＣ−ＦＤＭＡ）シンボル、および拡張サイクリックプレフィックスの場合は１２個のＯＦＤＭまたはＳＣ−ＦＤＭＡシンボルを使用することによって構築される。ＬＴＥリリース１３では、ＬＴＥリリース８  ＴＴＩよりもはるかに短い、より短いＴＴＩでの送信を明記するという目標を持って、検討事項が２０１５年中に開始された。
【０００９】
より短いＴＴＩは、任意の継続時間を有し、かつ１ｍｓ  ＳＦ以内にいくつかのＯＦＤＭまたはＳＣ−ＦＤＭＡシンボルに対するリソースを含むように決定され得る。一例として、ショートＴＴＩの継続時間は、０．５ｍｓ、すなわち、通常のサイクリックプレフィックスの場合には７個のＯＦＤＭまたはＳＣ−ＦＤＭＡシンボルであり得る。別の例としては、ショートＴＴＩの持続時間は、２シンボルである。
【００１０】
アップリンクスケジューリンググラント
【００１１】
既存の物理層ダウンリンク制御チャネル、物理ダウンリンク制御チャネル（ＰＤＣＣＨ）および強化されたＰＤＣＣＨ（ｅＰＤＣＣＨ）は、スケジューリング決定および電力制御命令などのダウンリンク制御情報（ＤＣＩ）を伝えるために使用される。ＰＤＣＣＨおよびｅＰＤＣＣＨは両方とも、１ｍｓ  ＳＦあたり１回送信される。
【００１２】
現在、いくつかの異なるダウンリンク制御情報（ＤＣＩ）フォーマットが存在しており、アップリンクおよびダウンリンクリソース割り当てについては３ＧＰＰ  ＴＳ  ３６．２１２を参照されたい。アップリンクスケジューリンググラントは、ＤＣＩフォーマット０またはＤＣＩフォーマット４のいずれかを使用する。後者は、アップリンク空間多重化をサポートするためのリリース１０に追加される。
【００１３】
一般に、アップリンクスケジューリンググラントのためのＤＣＩは以下を含み得る。
●リソース割り当て情報
○キャリアインジケータ
○リソース割り当てタイプ
○リソースブロック割り当て
●ＲＳおよびデータ関連情報
○変調符号化方式（ＭＣＳ）
○新データインジケータ
○アップリンク復調用参照信号（ＤＭＲＳ）の巡回シフト
○プリコーディング情報
○送信電力制御
●その他の情報
○サウンディング参照信号（ＳＲＳ）要求
○チャネル状態情報（ＣＳＩ）要求
○アップリンク（ＵＬ）指数（時分割複信（ＴＤＤ）用）
○ＤＣＩフォーマット０／１Ａ標示（ＤＣＩフォーマット０および１Ａでのみ）
○パディング
○端末の無線ネットワーク一時識別子（ＲＮＴＩ）でスクランブルされた巡回冗長検査（ＣＲＣ）
【００１４】
ショートＴＴＩの長さ間の動的スイッチング
【００１５】
述べたように、レイテンシを低減する１つのやり方は、ＴＴＩを減少させることであり、また、１ｍｓの時間持続時間をリソースに割り振る代わりに、次いで、いくつかのＯＦＤＭまたはＳＣ−ＦＤＭＡシンボルなどのより短い持続時間をリソースに割り振る必要性がある。これは、そのような短いスケジューリング割り振りの標示を可能にするユーザ機器（ＵＥ）特有の制御シグナリングの必要性を示唆する。
【００１６】
さらには、周波数利用効率を最適化するために、例えばレガシー１ｍｓ  ＴＴＩならびにより短いＴＴＩなど、ＴＴＩ持続時間を動的に切り替えることができる必要性も存在する（ＴＴＩが短いほど、より高いオーバーヘッドおよび／またはより劣った復調性能を招き得るため）。
【００１７】
この出願全体を通して、ショートＰＤＳＣＨ（ｓＰＤＳＣＨ）およびショートＰＵＳＣＨ（ｓＰＵＳＣＨ）は、ショートＴＴＩでのダウンリンクおよびアップリンク物理共有チャネルをそれぞれ示すために使用される。同様に、ショートＰＤＣＣＨ（ｓＰＤＣＣＨ）は、ショートＴＴＩ（ｓＴＴＩ）、ＴＴＩよりも短い持続時間を有するｓＴＴＩでのダウンリンク物理制御チャネルを示すために使用される。
【００１８】
アップリンク送信において、各ショートＴＴＩのために送信されるＤＭＲＳを用いた１つまたは複数のＳＣ−ＦＤＭＡシンボルは、ＴＴＩの長さが減少されるとき、オーバーヘッドの増加および対応するデータレートの減少をもたらす。
【発明の概要】
【００１９】
動作、例えば、フレーム構造および制御シグナリングの既存のやり方は、割り当てられた帯域幅内でのみ変動し得る、固定長１ｍｓのデータ割り当てのために設計される。具体的には、現在のＤＣＩは、ＳＦ全体におけるリソース割り当てを規定する。アップリンク送信のためのショートＴＴＩ持続時間の動的な設定を可能にする明確なソリューションは存在しない。
【００２０】
新規ＤＣＩフォーマットは、時間領域分割フィールドを導入することによってショートＴＴＩ設定をサポートするように規定され得る。しかしながら、この新規ＤＣＩフォーマットは、サブフレームあたり１回のみ送信されるＰＤＣＣＨの使用に基づいて設計される。したがって、ショートＴＴＩスケジューリング決定は、サブフレームごとにのみ行われ得る。
【００２１】
アップリンクにおけるショートＴＴＩ送信のための柔軟なＤＭＲＳは、各ｓＰＵＳＣＨについて別個のＤＭＲＳグラントおよびデータグラントを導入することによって有効にされ得る。この方法は、ｓＰＵＳＣＨの柔軟かつ高速の再設定を可能にし、それにより、ＵＥが、ユーザデータを送信することなくＤＭＲＳを送信することが可能になる。しかしながら、ＤＭＲＳおよびデータグラントを別個にすることは、制御シグナリングオーバーヘッドを増大させる。さらには、それは、異なるタイプのグラントがユーザによって正しく検出されないというまれなケースに対処するための複雑性を増大させる。
【００２２】
これまでのソリューションの欠点を克服するために、ｓＰＵＳＣＨの柔軟な設定を可能にする高速グラントは、ＤＭＲＳおよびデータシンボル両方の位置および長さならびにショートＴＴＩの長さを示すことによって可能である。
【００２３】
アップリンク高速グラントは、アップリンク送信のためのショートＴＴＩの柔軟な設定、例えばサブフレーム内の柔軟なＴＴＩ長を可能にし、また、個々のＵＥのニーズに対してＴＴＩ長を調整することを可能にする。しかしながら、それは、より多くのシグナリングオーバーヘッドおよび高度なハイブリッド自動再送要求（ＨＡＲＱ）設計も付加する。シグナリングオーバーヘッドおよび実装複雑性が懸念であるときには、簡略化されているが、有望なアップリンクショートＴＴＩ送信機能性、例えば、ＤＭＲＳ多重化および動的なＤＭＲＳ挿入を依然としてサポートするアップリンクグラントが設計されるべきである。
【００２４】
アップリンクショートＴＴＩ送信のための他のシグナリング方法が可能である。アップリンクショートＴＴＩ設定、例えば、ＤＭＲＳおよびデータシンボルの形態にある参照シンボルの位置、ならびに各ＴＴＩの長さは、各ＳＦに対して固定される。ショートＴＴＩ設定は、ダウンリンクにおいてＳＦベースで送信される低速グラントによってシグナリングされ、それは、おそらくはユーザのグループに共通である。アップリンクショートＴＴＩ送信は、ユーザ特有でありかつダウンリンクにおいてシンボルベースで送信される、高速グラントによってスケジューリングされる。提案されるソリューションは、はるかに低いシグナリングオーバーヘッドおよび実装複雑性を有するアップリンクショートＴＴＩ送信をサポートする。
【００２５】
このシグナリング方法の１つの欠点は、ショートＴＴＩ（ｓＴＴＩ）設定が低速グラントによってシグナリングされることに起因する、ｓＰＵＳＣＨ送信の設定に対する限られた柔軟性である。
【００２６】
本開示の目的は、当該分野におけるこれらの問題のうちのいくつかを解決すること、または少なくとも軽減すること、したがって、ＲＢＳによって実施される、無線通信デバイスのリソースをスケジューリングする方法の改善を提供することである。
【００２７】
この目的は、無線基地局（ＲＢＳ）において実施される、無線通信デバイスのためのリソースをスケジューリングする方法によって、本開示の第１の態様において達成される。本方法は、ダウンリンク制御情報（ＤＣＩ）およびダウンリンク制御チャネルのデータフレーム内の上記ＤＣＩの位置に基づいて、無線通信デバイスがデータを送信または受信するためのリソースのグラントを示すことおよび／または発行することを含む。
【００２８】
本目的は、無線通信デバイスのためのリソースをスケジューリングするように設定されるＲＢＳによって、本開示の第２の態様において達成され、本ＲＢＳは、処理ユニットおよびメモリを備え、上記メモリは、上記処理ユニットによって実行可能な命令を含み、それにより、上記ＲＢＳが、ダウンリンク制御情報（ＤＣＩ）およびダウンリンク制御チャネルのデータフレーム内の上記ＤＣＩの位置に基づいて、無線通信デバイス（１０３）がデータを送信または受信するためのリソースのグラントを示すおよび／または発行するように作動する。
【００２９】
この目的は、無線通信デバイスにおいて実施される、データ送信またはデータ受信がグラントされる方法によって、本開示の第３の態様において達成される。本方法は、ＲＢＳからダウンリンク制御チャネルのデータフレームを受信することと、データの送信または受信のグラントされたリソースが、ＤＣＩおよびダウンリンク制御チャネルのデータフレーム内の上記ＤＣＩの位置に基づいて発行されるおよび／または示されるかどうかを決定することとを含む。
【００３０】
本目的は、データ送信またはデータ受信がグラントされるかどうかを決定するように設定される無線通信デバイスによって、本開示の第４の態様において達成され、無線通信デバイスは、処理回路およびメモリを備え、上記メモリは、上記処理回路によって実行可能な命令を含み、それにより、上記無線通信デバイスが、ＲＢＳからダウンリンク制御チャネルのデータフレームを受信し、データの送信または受信のグラントされたリソースが、ＤＣＩおよびダウンリンク制御チャネルのデータフレーム内の上記ＤＣＩの位置に基づいて発行されるおよび／または示されるかどうかを決定するように作動する。
【００３１】
１つの代替案において、データフレーム内の特定の位置にある１つまたは複数の特定のＤＣＩビットフィールドは、無線通信デバイス（本明細書ではＵＥとも称される）のためのアップリンクにおいて送られるべき特定の情報を示す。例えば、ＤＬ  ｓＴＴＩ  ０におけるＤＣＩビットフィールド“００”は、データの２つのシンボルが後に続くＤＭＲＳを示し得る一方、ＤＬ  ｓＴＴＩ  ３におけるＤＣＩビットフィールド“０１”は、ＤＭＲＳが後に続くデータの１つのシンボルを示すなどである。
【００３２】
さらに、ダウンリンクにおいて特定のｓＴＴＩで送信されるＤＣＩは、ＤＣＩが送信された特定のｓＴＴＩから、既定の数のｓＴＴＩでのＵＬ送信をグラントする。
【００３３】
すなわち、ダウンリンクにおいてｓＴＴＩ  ｎでＤＣＩデータの形態で送信されるＵＬグラントが、ｓＴＴＩ  ｎ＋ｋでのＵＬ送信をスケジューリングする。例えば、１つのサブフレームは、ＵＬおよびＤＬの両方における６個のｓＴＴＩから構成され得、ＵＬスケジューリングタイミングがｎ＋ｋでありｋ＝６の場合、サブフレーム内でＤＬ  ｓＴＴＩ指数＝ｏで送信されるＵＬグラントは、次のサブフレーム内でＵＬ  ｓＴＴＩ指数０でのＵＬ送信をスケジューリングする。
【００３４】
結論として、ＤＣＩおよびダウンリンク制御チャネルのデータフレーム内のＤＣＩの位置は、ＤＭＲＳ設定、データシンボル設定、およびＵＥのアップリンク送信（またはダウンリンク受信）のための対応するデータフレームのｓＴＴＩ長を示す。
【００３５】
実施形態において、送信をシグナリングするため、特に短縮ＴＴＩ長での送信のための新規方法が提供される。アップリンク送信は、ＤＬ  ｓＴＴＩにおいてシンボルベースで送信される、高速ＤＣＩなどのＵＬ  ＤＣＩによってシグナリングされる。ＵＬ  ＤＣＩ内のフィールドはＤＣＩの位置と一緒に、ＤＭＲＳ設定、データ設定、およびｓＴＴＩ長を含む、スケジューリングされたアップリンクユーザデータ送信の設定を示す。同様に、高速ＤＣＩ内のフィールドはＤＣＩの位置と一緒に、ＤＬ送信のためのＨＡＲＱ−ＡＣＫフィードバックのためのアップリンク制御チャネル送信の設定を示すために使用され得る。
【００３６】
同じ方法論が、ダウンリンクショートＴＴＩ送信をシグナリングするために使用され得る。
【００３７】
有利には、提案されるソリューションは、はるかに低いシグナリングオーバーヘッドおよび実装複雑性を有するアップリンクショートＴＴＩ送信をサポートする。
【００３８】
提案されるソリューションがシンボルベースでのアップリンクＴＴＩ送信の動的設定を可能にすることは、さらに有利である。同時に、これは、ｓＴＴＩパターンの大半をサポートする。
【００３９】
提案されるソリューションはさらに有利には、サブフレーム内の固定のまたは異なるＴＴＩ長、ＤＭＲＳ多重化、および動的なＤＭＲＳ挿入機能性をサポートし、それがＤＭＲＳオーバーヘッドを低減し、したがってアップリンクショートＴＴＩ送信のためのリソース利用を改善し得る。
【００４０】
したがって、ＤＬにおけるＤＣＩの位置が、ＤＣＩを構成するいくつかの制御情報ビットと合わせて、ＵＬ  ｓＴＴＩ長、ＤＭＲＳ位置、ならびに制御およびデータチャネルのためのデータシンボル位置を示すために使用される、アップリンクショートＴＴＩ設定の動的シグナリングのための新規アップリンクグラント手法。
【００４１】
実施形態において、ＲＢＳは、無線通信デバイスがアップリンク送信またはダウンリンク受信を実施する必要性を検出する。
【００４２】
実施形態において、ＲＢＳは、ダウンリンク制御チャネル上のデータフレームを無線通信デバイスに送信するための時間間隔を選択する。
【００４３】
さらなる実施形態において、ＲＢＳは、データの送信または受信がグラントされることを無線通信デバイスに示すようにＤＣＩの１つまたは複数のビットフィールドを設定する。
【００４４】
依然としてさらなる実施形態において、ＤＣＩのビットフィールドは、示されたグラントのためのＴＴＩ設定を示す。
【００４５】
またさらなる実施形態において、ＤＣＩのビットフィールドが適切に設定され、上記ＤＣＩが、ＲＢＳによって決定されるように、ダウンリンク制御チャネルの上記データフレーム内で適切な位置にある場合、グラントが示されるおよび／または発行される。
【００４６】
別の実施形態において、ＲＢＳは、グラントの標示および／または発行の際に、無線通信デバイスにデータを送信するか、または無線通信デバイスからデータを受信する。
【００４７】
実施形態において、ＲＢＳは、上記ＤＣＩ内に、復調用参照信号（ＤＭＲＳ）を含む。
【００４８】
依然として実施形態において、ダウンリンク制御チャネルのデータフレーム内の上記ＤＣＩの位置は、ダウンリンクｓＴＴＩ指数を用いて示される。
【００４９】
別の実施形態において、ＲＢＳは、無線通信デバイスにグラントされるリソースの量およびデータの送信または受信のタイミングを決定する。
【００５０】
さらに別の実施形態において、ＤＣＩおよびダウンリンク制御チャネルのデータフレーム内の上記ＤＣＩの位置は、ＤＭＲＳ設定、データシンボル設定、および無線通信デバイスのアップリンク送信またはダウンリンク受信のための対応するデータフレームのショートＴＴＩ長を示す。
【００５１】
第５の態様において、コンピュータ実行可能命令を含むコンピュータプログラムが提供され、このコンピュータ実行可能命令は、無線通信デバイス内に含まれる処理回路上で実行されると、無線通信デバイスに第３の態様の方法のステップを実施させる。
【００５２】
第６の態様において、コンピュータ可読媒体を備えるコンピュータプログラム製品が提供され、このコンピュータ可読媒体は、第５の態様に従うコンピュータプログラムをそこで具現化させる。
【００５３】
第７の実施形態において、コンピュータ実行可能命令を含むコンピュータプログラムが提供され、このコンピュータ実行可能命令は、ＲＢＳ内に含まれる処理回路上で実行されるとき、ＲＢＳに第１の態様の方法のステップを実施させる。
【００５４】
第８の態様において、コンピュータ可読媒体を備えるコンピュータプログラム製品が提供され、このコンピュータ可読媒体は、第７の態様に従うコンピュータプログラムをそこで具現化させる。
【００５５】
全体的に、使用されるすべての用語は、本明細書で別途明示的に定義されない限りは、本技術分野におけるそれらの通常の意味に従って解釈されるものとする。「１つの（ａ／ａｎ／ｔｈｅ）要素、装置、コンポーネント、手段、ステップなど」へのすべての言及は、別途明示的に記載されない限りは、その要素、装置、コンポーネント、手段、ステップなどの少なくとも１つの例に言及するものとして公然と解釈されるものとする。本明細書に開示される任意の方法のステップは、明示的に記載されない限り、開示される正確な順序で実施されなければならないわけではない。
【００５６】
本開示はこれより、添付の図面を参照して、例を用いて説明される。
【図面の簡単な説明】
【００５７】
【図１】実施形態に従うアップリンクショートＴＴＩ送信をサポートするための提案されるシグナリング方法のフローチャートを例証する図である。
【図２】サブフレーム内の２シンボルＤＬ  ｓＴＴＩ設定の例示的な実施形態を例証する図である。
【図３−１】ＤＬ  ｓＴＴＩから送信される高速ＵＬ  ＤＣＩのビットフィールドとスケジューリングされたｓＰＵＳＣＨの設定とのマッピングの例示的な実施形態を例証する図である。２、３、および７シンボルのｓＴＴＩ長のみが、ｓＰＵＳＣＨではサポートされる。
【図３−２】ＤＬ  ｓＴＴＩから送信される高速ＵＬ  ＤＣＩのビットフィールドとスケジューリングされたｓＰＵＳＣＨの設定とのマッピングの例示的な実施形態を例証する図である。２、３、および７シンボルのｓＴＴＩ長のみが、ｓＰＵＳＣＨではサポートされる。
【図４−１】図３に示されるＵＬ高速ＤＣＩビットフィールドマッピングに基づいて、ＤＭＲＳ多重化／共有でサブフレーム内の８個の２シンボルｓＴＴＩ設定をシグナリングする例示的な実施形態を例証する図である。
【図４−２】図３に示されるＵＬ高速ＤＣＩビットフィールドマッピングに基づいて、ＤＭＲＳ多重化／共有でサブフレーム内の８個の２シンボルｓＴＴＩ設定をシグナリングする例示的な実施形態を例証する図である。
【図５】図３に示されるＵＬ高速ＤＣＩビットフィールドマッピングに基づいて、ＤＭＲＳ多重化／共有なしでサブフレーム内の６個の２／３シンボルアップリンクｓＴＴＩ設定をシグナリングする例示的な実施形態を例証する図である。
【図６−１】図３に示されるＵＬ高速ＤＣＩビットフィールドマッピングに基づいて、ＤＭＲＳ共有を用いたサブフレーム内の６個の２／３シンボルアップリンクｓＴＴＩ設定をシグナリングする例示的な実施形態を例証する図である。
【図６−２】図３に示されるＵＬ高速ＤＣＩビットフィールドマッピングに基づいて、ＤＭＲＳ共有を用いたサブフレーム内の６個の２／３シンボルアップリンクｓＴＴＩ設定をシグナリングする例示的な実施形態を例証する図である。
【図７】図３に示されるＵＬ高速ＤＣＩビットフィールドマッピングに基づいて、サブフレーム内の７シンボルアップリンクｓＴＴＩ送信をシグナリングする例示的な実施形態を例証する図である。
【図８−１】ＤＬ  ｓＴＴＩから送信される高速ＵＬ  ＤＣＩのビットフィールドとスケジューリングされたｓＰＵＳＣＨの設定とのマッピングの例示的な実施形態を例証する図である。２、４、および７シンボルのｓＴＴＩ長が、アップリンクｓＴＴＩ送信ではサポートされる。
【図８−２】ＤＬ  ｓＴＴＩから送信される高速ＵＬ  ＤＣＩのビットフィールドとスケジューリングされたｓＰＵＳＣＨの設定とのマッピングの例示的な実施形態を例証する図である。２、４、および７シンボルのｓＴＴＩ長が、アップリンクｓＴＴＩ送信ではサポートされる。
【図９】図８に示されるＵＬ高速ＤＣＩビットフィールドマッピングに基づいて、ＤＭＲＳ多重化／共有を用いたサブフレーム内の８個の２シンボルアップリンクｓＴＴＩ設定をシグナリングする例示的な実施形態を例証する図である。
【図１０】図８に示されるＵＬ高速ＤＣＩビットフィールドマッピングに基づいて、ＤＭＲＳ多重化／共有なしでサブフレーム内の６個の２／３シンボルｓＴＴＩ設定をシグナリングする例示的な実施形態を例証する図である。
【図１１−１】図８に示されるＵＬ高速ＤＣＩビットフィールドマッピングに基づいて、ＤＭＲＳ共有を用いたサブフレーム内の６個の２／３シンボルアップリンクｓＴＴＩ設定をシグナリングする例示的な実施形態を例証する図である。
【図１１−２】図８に示されるＵＬ高速ＤＣＩビットフィールドマッピングに基づいて、ＤＭＲＳ共有を用いたサブフレーム内の６個の２／３シンボルアップリンクｓＴＴＩ設定をシグナリングする例示的な実施形態を例証する図である。
【図１２】図８に示されるＵＬ高速ＤＣＩビットフィールドマッピングに基づいて、サブフレーム内の７シンボルアップリンクｓＴＴＩをシグナリングする例示的な実施形態を例証する図である。
【図１３】図８に示されるＵＬ高速ＤＣＩビットフィールドマッピングに基づいて、サブフレーム内の４シンボルアップリンクｓＴＴＩをシグナリングする例示的な実施形態を例証する図である。
【図１４−１】ＤＬ  ｓＴＴＩから送信される高速ＤＬ  ＤＣＩのビットフィールドとスケジューリングされたｓＰＵＣＣＨの設定とのマッピングの例示的な実施形態を例証する図である。２、４、および７シンボルのｓＴＴＩ長が、アップリンクｓＰＵＣＣＨ送信ではサポートされる。
【図１４−２】ＤＬ  ｓＴＴＩから送信される高速ＤＬ  ＤＣＩのビットフィールドとスケジューリングされたｓＰＵＣＣＨの設定とのマッピングの例示的な実施形態を例証する図である。２、４、および７シンボルのｓＴＴＩ長が、アップリンクｓＰＵＣＣＨ送信ではサポートされる。
【図１４−３】ＤＬ  ｓＴＴＩから送信される高速ＤＬ  ＤＣＩのビットフィールドとスケジューリングされたｓＰＵＣＣＨの設定とのマッピングの例示的な実施形態を例証する図である。２、４、および７シンボルのｓＴＴＩ長が、アップリンクｓＰＵＣＣＨ送信ではサポートされる。
【図１５−１】図１４に示されるＤＬ高速ＤＣＩビットフィールドマッピングに基づいて、サブフレーム内の２、３、４、および７シンボルｓＰＵＣＣＨ  ｓＴＴＩの使用をシグナリングする例示的な実施形態を例証する図である。
【図１５−２】図１４に示されるＤＬ高速ＤＣＩビットフィールドマッピングに基づいて、サブフレーム内の２、３、４、および７シンボルｓＰＵＣＣＨ  ｓＴＴＩの使用をシグナリングする例示的な実施形態を例証する図である。
【図１６ａ】実施形態に従う無線通信デバイスを例証する図である。
【図１６ｂ】実施形態に従うＲＢＳを例証する図である。
【発明を実施するための形態】
【００５８】
これより実施形態は、特定の実施形態が示される添付の図面を参照して、これ以降より完全に説明されるものとする。多くの異なる形態にある実施形態が想起され、本明細書に明記される実施形態に限定されるものとして解釈されるべきではなく、むしろ、これらの実施形態は、この開示が徹底的かつ完全であるように例として提供され、当業者に本範囲を完全に伝えるものである。同様の番号は、説明全体を通して同様の要素を指す。
【００５９】
先に述べたように、アップリンク送信において、各ショートＴＴＩのために送信されるＤＭＲＳを用いた１つまたは複数のＳＣ−ＦＤＭＡシンボルは、ＴＴＩの長さが減少されるとき、オーバーヘッドの増加および対応するデータレートの減少をもたらす。
【００６０】
オーバーヘッドを低減するため、いくつかの送信器からの参照信号は、同じＳＣ−ＦＤＭＡシンボルへと多重化され得るが、異なる送信器からのユーザデータは、別個のＳＣ−ＦＤＭＡシンボルで送信される。
【００６１】
さらに、ダウンリンクショートｓＰＤＳＣＨは、同じＵＥへの最近のＤＭＲＳ送信が発生していた場合には、必ずしもＤＭＲＳを含まなくてもよい。ダウンリンクショートＴＴＩ内のＤＭＲＳの存在が、ｓＰＤＣＣＨにおいてシグナリングされるか、またはＵＥが、ＤＭＲＳが存在するか否かの２つの仮定の下で送信を盲目的に復号することを試みるかのいずれかである。この動的なＤＭＲＳ挿入は、ショートＴＴＩ内のアップリンク送信のためのｓＰＵＳＣＨにも適用され得る。
【００６２】
さらには、アップリンクグラントのためのＤＣＩは、２つの部分、すなわち、低速グラントおよび高速グラントに分割され得る。低速グラントは、周波数リソース割り当て情報を含む。このグラントは、ダウンリンクにおいてＳＦベースで送信され、それはユーザのグループに共通である。高速グラントは、ユーザ特有であり、それは、ダウンリンクにおいてシンボルベースで送信される。アップリンク送信のためのショートＴＴＩ継続時間の動的な設定は、高速グラントにおいて伝達される情報に基づいて実施される。
【００６３】
シグナリング方法は、実施形態に従うアップリンクショートＴＴＩ送信をサポートするために提案される。この方法は、ＲＢＳ１０２が無線基地局を示し、ＷＣＤ１０３が無線通信デバイスを示す図１のフローチャートを参照して以下に説明される。
【００６４】
一般的なシグナリング手順
【００６５】
無線基地局：
【００６６】
Ｓ１．無線通信デバイス１０３のためのデータの必要性を任意選択的に検出する。例えば、無線基地局１０２は、例えば、無線通信デバイス１０３へ向けたデータを受信することによって、または無線通信デバイス１０３からの送信要求を受信することによって、無線通信デバイス１０３が、ダウンリンクにおいてデータを受信する、またはアップリンクにおいてデータを送信する必要性があることを検出する。
【００６７】
Ｓ２．ＤＭＲＳ（復調用参照信号）を含む無線通信デバイス１０３との通信のための時間およびリソースの量を任意選択的に取り決める。
【００６８】
Ｓ３．ダウンリンク制御チャネルを送信するための時間間隔を任意選択的に選択する。例えば、特定のダウンリンクｓＴＴＩ指数が、ＤＣＩが送信される場合には選択される。
【００６９】
Ｓ４．ＤＣＩ（ダウンリンク制御情報、例えば、高速ＤＣＩ）内のビットフィールドを決定する。
【００７０】
Ｓ５．ＤＣＩ（例えば、高速ＤＣＩ）を含むダウンリンク制御チャネルを送信する。例えば、無線基地局１０２は、ＤＣＩおよびダウンリンク制御チャネルのデータフレーム内のＤＣＩの位置に基づいて、無線通信デバイス１０３がデータを送信または受信するためのグラントを示すおよび／または発行する。ならびに、
【００７１】
Ｓ８．任意選択的に、示されたおよび／または発行されたグラントに従って、データを無線通信デバイス１０３に送信する（から受信する）。
【００７２】
無線通信デバイス：
【００７３】
Ｓ６．ダウンリンク制御チャネルを受信および復号する。例えば、受信したＤＣＩを復号する。
【００７４】
Ｓ７．ＤＣＩおよび復号された制御チャネルの位置に基づいて通信のためのＤＭＲＳを含む設定を決定する。
【００７５】
Ｓ８．任意選択的に、示されたおよび／または発行されたグラントに基づいて、データをＲＢＳ１０２に送信する（から受信する）。
【００７６】
したがって、ＤＣＩのビットフィールドおよびＤＣＩの位置は、示されたおよび／または発行されたグラントによって約束されたデータ送信／受信のために受諾されるべき特定のＴＴＩ設定を示す。
【００７７】
送信のための設定へのＤＣＩ内のビットフィールドのマッピング
【００７８】
実施形態において、送信のための設定へのＤＣＩ内のフィールドのマッピングは、受信したＤＣＩと対応する送信との間の時間持続時間ができり限り短くなるように、レイテンシ最適化された手法に基づいて規定される。この手法は、他のＤＬ  ＴＴＩと比較していくつかのＤＬ  ＴＴＩにおいてより多くのＤＣＩ設定をサポートする必要性を結果としてもたらし得る。ここでは、この時間持続時間の下限は、ＵＥにおける処理能力に依存し得る。
【００７９】
別の実施形態において、送信のための設定へのＤＣＩ内のフィールドのマッピングは、送信のためのサポートされる設定の数が異なるＤＬ  ＴＴＩ間で等しく分散されるように、およびシグナリングに必要とされるビットの数が最小限であるように、負荷分散手法に基づいて規定される。
【００８０】
１つの実施形態において、より短いＴＴＩは、より長いｓＴＴＩと比較して、より短いアップリンクスケジューリングタイミング（受信したＤＣＩと対応するアップリンク送信との間の時間）を有する。例えば、２／３シンボルｓＴＴＩは、７シンボルｓＴＴＩと比較してより短いアップリンクスケジューリングタイミングを有する。１つの実施形態において、第１のＯＦＤＭ／ＳＣ−ＦＤＭＡシンボル内に参照信号を有するｓＴＴＩは、同じ長さを有するがｓＴＴＩの第１のＯＦＤＭシンボル内にユーザデータを有するｓＴＴＩと比較して、より短いアップリンクスケジューリングタイミング（受信したＤＣＩと対応するアップリンク送信との間の時間）を有する。例えば、第１のシンボル内で送信されるＤＭＲＳ、ならびにｓＴＴＩの第２および第３のシンボル内で送信されるデータで設定される３シンボルｓＴＴＩは、最後のシンボル内で送信されるＤＭＲＳ、ならびにｓＴＴＩの第１の２シンボル内で送信されるデータで設定される３シンボルｓＴＴＩと比較して、より短いアップリンクスケジューリングタイミングを有する。
【００８１】
理解されるように、ダウンリンク（ＤＬ）送信は、スマートフォン、タブレット、スマートウォッチ、ゲーム機、テレビセットなどの無線通信デバイスに対して無線基地局（ＲＢＳ）によって実施される。これは、一般的にはユーザ機器と称される。ＬＴＥでは、ＲＢＳは、エボルブドＮｏｄｅＢ（ｅＮｏｄｅＢ）と、５Ｇの場合はｇＮｏｄｅＢと称される。したがって、アップリンク（ＵＬ）送信は、ＲＢＳに対して無線通信デバイスによって実施される。
【００８２】
実施形態において、アップリンクデータリソースは、ＤＬショートＴＴＩにおいてシンボルベースで（または、１つもしくは複数のシンボルおきに）送信されるＵＬ高速ＤＣＩによってスケジューリングされる。ＵＬ高速ＤＣＩ内のフィールドは、ＵＬ高速ＤＣＩが送信されるＤＬ  ｓＴＴＩの指数と一緒に、ＤＭＲＳ設定、データシンボル設定、およびショートＴＴＩ長を含む、スケジューリングされたアップリンクｓＴＴＩ送信の設定を示す。
【００８３】
実施形態において、アップリンク制御チャネル送信のためのリソースは、ＤＬにおいてシンボルベースで（または、１つもしくは複数のシンボルおきに）送信されるＤＬ高速ＤＣＩによってスケジューリングされる。ＤＬ高速ＤＣＩなどのＤＣＩ内のフィールドは、ＤＬ高速ＤＣＩなどのＤＣＩが送信される位置と一緒に、ＤＭＲＳ設定、データシンボル設定、および／またはショートＴＴＩ長を含む、スケジューリングされたアップリンク制御チャネル送信の設定を示す。
【００８４】
以下において、例示的な実施形態は、短縮ＴＴＩ長でのアップリンクデータチャネル送信およびアップリンク制御チャネル送信のグラントをどのようにシグナリングするかについて説明される。
【００８５】
アップリンクデータチャネル送信のための設定へのＤＣＩ内のビットフィールドのマッピング
【００８６】
実施形態において、アップリンクｓＴＴＩ設定およびＵＬ高速ＤＣＩ内でシグナリングされるフィールドのマッピングは、ＤＬ  ｓＴＴＩ  内の受信したアップリンクＤＣＩとＵＬ  ｓＴＴＩにおけるアップリンク送信との間の時間持続時間ができる限り短くなるように、レイテンシを最適化するための手法に基づいて規定される。時間持続時間は、ＵＥにおける処理能力に依存する。
【００８７】
別の実施形態において、アップリンクｓＴＴＩ設定およびＵＬ高速ＤＣＩ内でシグナリングされるフィールドのマッピングは、ＵＬ  ｓＴＴＩ設定の数が、異なるＤＬ  ｓＴＴＩ間で等しく分散されるように、およびシグナリングに必要とされるビットの数が減少されるように、負荷分散手法に基づいて規定される。
【００８８】
ＤＬ  ｓＴＴＩの数およびＵＬ  ｓＴＴＩの数がサブフレーム内で同じ場合、最適化レイテンシ手法および負荷分散手法に基づいたマッピングソリューションは同じである。すなわち、アップリンクｓＴＴＩ設定およびＵＬ高速ＤＣＩ内でシグナリングされるフィールドのマッピングは、ＤＬ  ｓＴＴＩとＵＬ  ｓＴＴＩとの固定された一対一のマッピングに基づいて規定される。
【００８９】
１つの実施形態において、より短いＴＴＩは、より長いＴＴＩと比較してグラントと送信との間により短い時間を有する。
【００９０】
さらなる実施形態において、第１のＯＦＤＭ  シンボル内に参照信号を有するＴＴＩは、同じ長さを有するがＴＴＩの第１のＯＦＤＭ  シンボル内にユーザデータを有するＴＴＩと比較して、グラントと送信との間により短い時間を有する。
【００９１】
以下において、いくつかの例示的な実施形態は、負荷分散手法に基づいてビットフィールドマッピングをどのように設定するかについて与えられる。
【００９２】
これらの例示的な実施形態は、以下の仮定に基づく。
【００９３】
１．２／３ｏｓ  ＤＬショートＴＴＩパターンが図２に示され、ここでは、最初の３つのＯＦＤＭシンボルが、ＰＤＣＣＨのために使用される（「ｏｓ」はＯＦＤＭシンボルを示す）。
【００９４】
２．ｓＰＵＳＣＨ送信のためのｓＴＴＩ数ＮにおけるＵＬグラントでの最小ＵＬスケジューリングタイミングは、以下である。
−  ２ｏｓのアップリンクショートＴＴＩの場合、Ｎ＋６のＴＴＩタイミング。これは、グラントの最後のｏｓとＵＬ送信の最初のｏｓとの間に少なくとも９〜１０のｏｓ処理を可能にする（５ショートＴＴＩ）。
−  ４ｏｓのアップリンクショートＴＴＩの場合、Ｎ＋５のＴＴＩタイミング。これは、グラントの最後のｏｓとＵＬ送信の最初のｏｓとの間に１６のｏｓ処理を可能にする（４ショートＴＴＩ）。
−  ７ｏｓのアップリンクショートＴＴＩの場合、Ｎ＋４のＴＴＩタイミング。これは、グラントの最後のｏｓとＵＬ送信の最初のｏｓとの間に２１のｏｓ処理を可能にする（３ショートＴＴＩ）。
【００９５】
したがって、図２は、無線基地局によって示されるおよび／または発行されるグラントにより約束されるような無線通信デバイスのデータ送信／受信のために受諾されるべき特定のＴＴＩ設定が、ＤＣＩのビットフィールドおよびＤＣＩの位置、例えばＤＬ  ｓＴＴＩ指数によって示されるサブフレームを示す。
【００９６】
長さ２、３、および７のＳＣ−ＦＤＭＡシンボルのアップリンクｓＴＴＩデータチャネル送信の動的シグナリング
【００９７】
ＵＬ高速ＤＣＩ内の２ビットのフィールドは、ＤＬ  ｓＴＴＩ指数と一緒に、異なるアップリンクショートＴＴＩ設定を示すために使用され得る。ビットフィールドマッピングの例示的な実施形態は、図３に示される。この例では、第１のＤＬ  ｓＴＴＩは、ＵＬ高速ＤＣＩを送るために使用されない。
【００９８】
図３に見られるように、例えば、左上の例証図において、ダウンリンクのサブフレーム内のＤＣＩの実際の位置は、ＤＣＩの値と併せて、グラントがＵＬデータを送信するまたはＤＬデータを受信するために無線通信デバイスに対して示されるおよび／または発行されるかどうかを決定する。
【００９９】
見られ得るように、ＤＬ  ｓＴＴＩ１は、ＤＬサブフレーム内のＤＣＩの特定の位置を示す一方、ＤＣＩの値、すなわち、ＤＣＩビットフィールド内に表される値は、特定の設定を示す。この特定の実施形態においては、４つの異なる設定（０−３）が可能である。
【０１００】
したがって、ＤＬ  サブフレーム内のＤＣＩの特定の位置（例えば、特定のＤＬ  ｓＴＴＩ指数）は、特定のＤＣＩ値と併せて、特定の設定を表す。例えば、ＤＬ  ｓＴＴＩ指数＝“３”で送信される“２”の値を有するＤＣＩは、無線通信デバイスがデータを送信または受信するための示されたおよび／または発行されたグラントを表すことが想起され得る。この特定の例において、ＤＬ  ｓＴＴＩ指数＝“３”で送信される“２”の値を有するＤＣＩは、ＵＬ  ｓＴＴＩ指数＝７でのＤＭＲＳのアップリンク送信およびＵＬ  ｓＴＴＩ指数＝８でのデータのアップリンク送信を示す。
【０１０１】
図全体を通して、“Ｒ”で示されるアップリンクシンボルはＤＭＲＳを運び、空白シンボルはデータを運ぶ。
【０１０２】
図３に示されるように、異なるｓＴＴＩ長はまた、ＤＣＩおよびその位置で示され得る。ＤＬ  ｓＴＴＩ指数＝“３”で送信される“２”の値を有するＤＣＩの先の例は、２シンボルのｓＴＴＩ長を示すが、ＤＬ  ｓＴＴＩ指数＝“３”で送信される“３”の値を有するＤＣＩは、７シンボルのｓＴＴＩ長を示す。
【０１０３】
したがって、実施形態において、ＤＣＩおよびダウンリンク制御チャネルのデータフレーム内の上記ＤＣＩの位置は、ＤＭＲＳ設定、データシンボル設定、および無線通信デバイスのアップリンク送信のための対応するデータフレームのｓＴＴＩ長を示す。
【０１０４】
図４は、図３に示されるＵＬ高速ＤＣＩビットフィールドマッピングを使用することによって、サブフレーム内の８個の２シンボルアップリンクショートＴＴＩ送信を設定する例示的な実施形態を例証する。図４の矢印は、異なるｓＰＵＳＣＨ送信のためのＵＬスケジューリングタイミングを示す。各ＤＬ  ｓＴＴＩの下のボックス内の数字は、ｓＰＵＳＣＨ送信をシグナリングするためにこのＤＬ  ｓＴＴＩから送信されるＵＬ高速ＤＣＩにおいて使用されるビットフィールドの値である。
【０１０５】
例えば、２つのＵＬ高速ＤＣＩが、０および１にそれぞれ設定されたビットフィールド値を有する「ＤＬ  ｓＴＴＩ指数１」から送信される。次いで、図３に示されるビットフィールドマッピングルールに基づいて、これら２つのＵＬ高速ＤＣＩは、２つのアップリンクｓＴＴＩ送信、例えば、図４ではＵＬ  ｓＴＴＩ  ０およびＵＬ  ｓＴＴＩ１をシグナリングする。図４ａ）では、１のビットフィールド値を有するＵＬ高速ＤＣＩが、ＤＬ  ｓＴＴＩ指数２から送信され、したがって、アップリンクｓＴＴＩ送信は、シンボル指数５でＤＭＲＳ、およびシンボル指数６、すなわち、図４ａ）に示される「ＵＬ  ｓＴＴＩ２」でデータを送信するという設定でスケジューリングされる。図４ｂ）に示されるように、「ＵＬ  ｓＴＴＩ２」と「ＵＬ  ｓＴＴＩ３」との間でのＤＭＲＳ共有をサポートすることも可能であり、ここでは、「ＵＬ  ｓＴＴＩ２」内で送信されるＤＭＲＳは、「ＵＬ  ｓＴＴＩ３」内で送信されるデータのチャネル予測のために使用される。したがって、「ＵＬ  ｓＴＴＩ３」内のシンボル５は、ＤＭＲＳではなくデータ送信のために使用される。このＤＭＲＳ共有は、「ＤＬ  ｓＴＴＩ指数３」から１のビットフィールド値を有するＵＬ高速ＤＣＩを送信することによって有効にされる。
【０１０６】
異なるアップリンクショートＴＴＩ送信は、異なるＤＬ  ｓＴＴＩから送信されるＵＬ高速ＤＣＩの異なる組み合わせを使用することによって動的に設定され得る。図５は、ＤＭＲＳ多重化または共有なしでサブフレーム内の６個の２および３シンボルアップリンクショートＴＴＩ送信を設定する例示的な実施形態を例証する。図６に示されるように連続したｓＴＴＩのＤＭＲＳ共有をサポートすることも可能であり、ここでは、ＤＭＲＳは、各スロットの第２のｓＴＴＩまたは第３のｓＴＴＩ内で送信されない。
【０１０７】
図７は、図３に示されるＵＬ高速ＤＣＩマッピングを使用することによって、サブフレーム内で２個の７ｏｓ  ｓＰＵＳＣＨ送信をシグナリングする例示的な実施形態を例証する。
【０１０８】
２シンボルｓＴＴＩの場合、１つのサブフレーム内のすべてまたはいくつかのＵＬ  ＤＣＩは、後続サブフレーム内のＵＬグラントを示している。したがって、ＵＬ  ＤＣＩは、同じサブフレーム内のＵＬグラントには使用されない。７シンボルｓＴＴＩの場合、１つのサブフレーム内のＵＬ  ＤＣＩは、次の次のサブフレーム内のＵＬグラントを常に示している。
【０１０９】
長さ２、３、４、および７のＳＣ−ＦＤＭＡシンボルのアップリンクｓＴＴＩデータチャネル送信の動的シグナリング
【０１１０】
例えば、４シンボルのｓＴＴＩ長のサポートまたは２−シンボルｓＴＴＩの他のＤＭＲＳ設定のサポートなど、より多くのＵＬ  ｓＴＴＩ設定がサポートされる必要がある場合、先に説明されるような２ビットと比較して、より多くのビットがＵＬ高速ＤＣＩ内のフィールドに追加される必要があるか、または、ＰＤＣＣＨを含む第１のＤＬ  ｓＴＴＩが、ＵＬ高速ＤＣＩを送信するために使用されることを必要とするかのいずれかである。
【０１１１】
以下において、例示的な実施形態は、２、３、４、および７シンボルのｓＴＴＩ長がサポートされるときに、アップリンクｓＴＴＩ送信のシグナリングをどのように始めるかについて説明される。
【０１１２】
先の実施形態と同様に、ＵＬ高速ＤＣＩ内の２ビットのフィールドは、ＤＬ  ｓＴＴＩ指数と一緒に、異なるアップリンクｓＴＴＩ設定を示すために使用され得る。ビットフィールドマッピングの例示的な実施形態は、図８に示される。この例示的な実施形態において、第１のＤＬ  ｓＴＴＩ（ＰＤＣＣＨに割り当てられる）は、ＵＬ高速ＤＣＩを送るために使用されるということに留意されたい。
【０１１３】
図９〜図１３において、図８に示されるＵＬ高速ＤＣＩビットフィールドマッピングを使用することによって、異なるｓＴＴＩ長のためにサブフレーム内のアップリンクｓＴＴＩ送信を動的に設定する例示的な実施形態の例証が提供される。
【０１１４】
２シンボルｓＴＴＩの場合、１つのサブフレーム内の大半のＵＬ  ＤＣＩは、後続サブフレーム内のＵＬグラントを示している。しかしながら、ＰＤＣＣＨ内で送信されるＤＬ  ＤＣＩは、同じサブフレーム内のＵＬグラントに使用されてもよく、図９の例証図を参照されたい。代替のマッピングは、すべてのＤＬ  ＤＣＩがＵＬ  ＤＣＩを有するサブフレーム後のサブフレーム内のＵＬグラントを示すように規定されてもよい。
【０１１５】
７シンボルｓＴＴＩの場合、１つのサブフレーム内のＵＬ  ＤＣＩは、図１２のように次の次のサブフレーム内のＵＬグラントを常に示している。
【０１１６】
４シンボルｓＴＴＩの場合、１つのサブフレーム内のＵＬ  ＤＣＩは、図１３のように次のサブフレーム内のＵＬグラントを常に示している。
【０１１７】
アップリンクｓＴＴＩ  制御チャネル送信の動的シグナリング
【０１１８】
これまでは、ショートＴＴＩ内でアップリンクデータチャネル設定を動的にシグナリングする方法が論じられた。以下では、例示的な実施形態は、ショートＴＴＩ内でショートアップリンク制御チャネル（ｓＰＵＣＣＨ）設定を動的にシグナリングする方法について説明される。ＤＬデータのためのＨＡＲＱはアップリンク制御チャネルで送信されるため、そのようなチャネルの標示は高速ＤＬ  ＤＣＩ内にあるべきである。
【０１１９】
高速ＤＬ  ＤＣＩ内で２ビットを規定することによって、ＵＥは、ＰＵＳＣＨのための高速ＵＬ  ＤＣＩと同様に、ＤＬ  ｓＴＴＩロケーションあたり４つの異なるｓＰＵＣＣＨオプションについて、ＤＣＩを送るように命令され得、図１４の例を参照されたい。このやり方では、最大４つの異なるｓＰＵＣＣＨパターンがＤＬ  ｓＴＴＩパターンのためにサポートされる。この例は図１５に示され、ここでは、高速ＤＬ  ＤＣＩ内でシグナリングされるｓＰＵＣＣＨ  ＴＴＩは、４つの異なるｓＰＵＣＣＨパターンへと組み合わされる。
【０１２０】
上の例示的な実施形態は、１４シンボル（レガシー）長の場合はｓＰＵＣＣＨ設定指数を有する高速ＤＬ  ＤＣＩを含むことによっても、例えば４シンボル設定を削除することによって、修正され得る。これは、ｓＰＵＣＣＨの良好なカバレッジを確実にするために使用され得る。
【０１２１】
実施形態において、ダウンリンク送信は、ＤＬにおいてシンボルベースで（または、１つもしくは複数のシンボルおきに）送信されるＤＬ高速ＤＣＩによってスケジューリングされる。ＤＬ高速ＤＣＩ内のフィールドは、ＤＬ高速ＤＣＩが送信される位置と一緒に、ＤＭＲＳ設定、データシンボル設定、および／またはＴＴＩ長を含む、スケジューリングされたダウンリンク送信の設定を示す。
【０１２２】
アップリンク送信の設定へのＤＣＩのフィールドのマッピングのために提案される同じ方法論が、ＤＬ送信にも同様に使用され得る。
【０１２３】
スロット長およびＴＤＤ使用
【０１２４】
７シンボル（すなわち、スロット長）ＤＬ  ＴＴＩでの動作の場合、ＵＬ  ＴＴＩもまた、７シンボル（スロット長）でなければならない。したがって、特定のｓＰＵＳＣＨまたはｓＰＵＣＣＨ設定を示す必要はない。先のセクションで説明されるようにＵＬ送信を示すために高速ＤＬおよびＵＬ  ＤＣＩ内で規定される２ビットが、依然として、スロット長ＤＬ  ＴＴＩ内の高速ＤＣＩのためにも規定され得る。
【０１２５】
１つの実施形態において、ＤＬおよびＵＬ  ＤＣＩ内の２ビットは、ＤＬ  ｓＴＴＩ長が７シンボルであるとき、ＰＵＳＣＨおよびｓＰＵＣＣＨのためのＵＬ内のレガシー長（１４シンボル）ＴＴＩを示すために使用される。
【０１２６】
さらに別の実施形態において、ＤＬ  ＴＴＩ長が７シンボル（スロット長）であるとき、１４シンボルＵＬ  ＴＴＩのための異なる設定が、高速ＤＬおよびＵＬ  ＤＣＩ内の２ビットを使用してシグナリングされる。これらの設定は、ｎ＋４タイミングと比較して、例えば、ｎ＋２またはｎ＋３タイミングであり得る。１つの例として、第１の指数はスロット長ＵＬを示すため、第２の指数はｎ＋４タイミングで１４シンボルＵＬをシグナリングするため、第３の指数はｎ＋３タイミングで１４シンボルＵＬをシグナリングするため、第４の指数はｎ＋２タイミングで１４シンボルＵＬをシグナリングするために使用される。
【０１２７】
しかしながら、ＵＬおよびＤＬにおけるスロット長動作でのＴＤＤにおいては、将来のＵＬ  ＴＴＩのセットが高速ＵＬ  ＤＣＩを用いてスケジューリングされることを示す必要性があり得る。１つの実施形態において、上のセクションで規定される高速ＵＬ  ＤＣＩ内の２ビットは、この目的のために再使用される。別の実施形態において、高速ＤＬ  ＤＣＩ内の２ビットは、ダウンリンク割り振り指数（ＤＡＩ）を送信するために再使用される。
【０１２８】
図１６ａは、実施形態に従う無線通信デバイス１０３（以下ではＵＥと称される）を例証する一方、図１６ｂは、実施形態に従うＲＢＳ１０２を例証する。
【０１２９】
実施形態に従ってＵＥ１０３によって実施されるアクションは、１つまたは複数のマイクロプロセッサの形態で埋め込まれた処理回路１２１によって実施され得、この１つまたは複数のマイクロプロセッサは、ランダムアクセスメモリ（ＲＡＭ）、フラッシュメモリ、またはハードディスクドライブなどの、マイクロプロセッサと関連付けられた記憶媒体１２３にダウンロードされたコンピュータプログラム１２２を実行するように構成される。
【０１３０】
処理回路１２１は、コンピュータ実行可能命令を含む適切なコンピュータプログラム１２２が、記憶媒体１２３にダウンロードされ、処理回路１２１によって実行されるとき、無線通信デバイス１０３に実施形態に従ってアクションを実行させるように構成される。記憶媒体１２３はまた、コンピュータプログラム１２２を備えるコンピュータプログラム製品であってもよい。代替的に、コンピュータプログラム１２２は、好適なコンピュータプログラム製品を用いて、デジタル多用途ディスク（ＤＶＤ）またはメモリスティックなどの記憶媒体１２３に転送され得る。さらなる代替案として、コンピュータプログラム１２２は、ネットワークを介して記憶媒体１２３にダウンロードされ得る。処理回路１２１は、代替的に、デジタル信号プロセッサ（ＤＳＰ）、特定用途向け集積回路（ＡＳＩＣ）、フィールドプログラマブルゲートアレイ（ＦＰＧＡ）、複合プログラマブル論理デバイス（ＣＰＬＤ）などの形態で具現化され得る。
【０１３１】
実施形態に従って図１６ｂのＲＢＳ１０２によって実施されるアクションは、１つまたは複数のマイクロプロセッサの形態で具現化された処理回路１３１によって実施され得、この１つまたは複数のマイクロプロセッサは、ランダムアクセスメモリ（ＲＡＭ）、フラッシュメモリ、またはハードディスクドライブなどの、マイクロプロセッサと関連付けられた記憶媒体１３３にダウンロードされたコンピュータプログラム１３２を実行するように構成される。処理回路１３１は、コンピュータ実行可能命令を含む適切なコンピュータプログラム１３２が、記憶媒体１３３にダウンロードされ、処理回路１３１によって実行されるとき、ＲＢＳ１０２に実施形態に従ってアクションを実行させるように構成される。記憶媒体１３３はまた、コンピュータプログラム１３２を備えるコンピュータプログラム製品であってもよい。代替的に、コンピュータプログラム１３２は、好適なコンピュータプログラム製品を用いて、デジタル多用途ディスク（ＤＶＤ）またはメモリスティックなどの記憶媒体１３３に転送され得る。さらなる代替案として、コンピュータプログラム１３２は、ネットワークを介して記憶媒体１３３にダウンロードされ得る。処理回路１３１は、代替的に、デジタル信号プロセッサ（ＤＳＰ）、特定用途向け集積回路（ＡＳＩＣ）、フィールドプログラマブルゲートアレイ（ＦＰＧＡ）、複合プログラマブル論理デバイス（ＣＰＬＤ）などの形態で具現化され得る。
【０１３２】
実施形態において、無線通信デバイスのためのリソースをスケジューリングするように設定されるＲＢＳが提供される。ＲＢＳは、ダウンリンク制御情報（ＤＣＩ）およびダウンリンク制御チャネルのデータフレーム内の上記ＤＣＩの位置に基づいて、無線通信デバイスがデータを送信または受信するためのリソースのグラントを示すおよび／または発行するようにさらに設定される。
【０１３３】
したがって、ＲＢＳは、ダウンリンク制御情報（ＤＣＩ）およびダウンリンク制御チャネルのデータフレーム内の上記ＤＣＩの位置に基づいて、無線通信デバイスがデータを送信または受信するためのリソースのグラントを示すおよび／または発行するための手段を含む。
【０１３４】
実施形態において、ＲＢＳは、処理回路およびメモリを備え、上記メモリは、上記処理回路によって実行可能な命令を含み、それにより、上記ＲＢＳが、ダウンリンク制御情報（ＤＣＩ）およびダウンリンク制御チャネルのデータフレーム内の上記ＤＣＩの位置に基づいて、無線通信デバイスがデータを送信または受信するためのグラントされたリソースを示すおよび／または発行するように作動する。
【０１３５】
さらなる実施形態において、無線通信デバイスが提供される。無線通信デバイスは、ＲＢＳからダウンリンク制御チャネルのデータフレームを受信し、ダウンリンク制御情報（ＤＣＩ）およびダウンリンク制御チャネルのデータフレーム内の上記ＤＣＩの位置に基づいてデータの送信または受信のグラントされたリソースが示されるおよび／または発行されることを決定するように設定される。
【０１３６】
したがって、無線通信デバイスは、ＲＢＳからダウンリンク制御チャネルのデータフレームを受信するための手段、ならびにデータの送信または受信のグラントされたリソースがダウンリンク制御情報（ＤＣＩ）およびダウンリンク制御チャネルのデータフレーム内の上記ＤＣＩの位置に基づいて示されるおよび／または発行されるかどうかを決定するための手段を含む。
【０１３７】
さらなる実施形態において、無線通信デバイスは、処理回路およびメモリを備え、上記メモリは、上記処理回路によって実行可能な命令を含み、それにより、上記無線通信デバイスが、ＲＢＳからダウンリンク制御チャネルのデータフレームを受信するように、ならびにデータの送信または受信のグラントされたリソースが、ダウンリンク制御情報（ＤＣＩ）およびダウンリンク制御チャネルのデータフレーム内の上記ＤＣＩの位置に基づいて示されるおよび／または発行されるかどうかを決定するように作動する。
【０１３８】
本開示は主に、いくつかの実施形態を参照して上に説明されている。しかしながら、当業者には容易に理解されるように、上に開示されるものとは別の実施形態が、添付の特許請求項によって規定されるように、本開示の範囲内で等価に可能である。
【図１】
2019534613.tif 000003
【図２】
2019534613.tif 000004
【図３−１】
2019534613.tif 000005
【図３−２】
2019534613.tif 000006
【図４−１】
2019534613.tif 000007
【図４−２】
2019534613.tif 000008
【図５】
2019534613.tif 000009
【図６−１】
2019534613.tif 000010
【図６−２】
2019534613.tif 000011
【図７】
2019534613.tif 000012
【図８−１】
2019534613.tif 000013
【図８−２】
2019534613.tif 000014
【図９】
2019534613.tif 000015
【図１０】
2019534613.tif 000016
【図１１−１】
2019534613.tif 000017
【図１１−２】
2019534613.tif 000018
【図１２】
2019534613.tif 000019
【図１３】
2019534613.tif 000020
【図１４−１】
2019534613.tif 000021
【図１４−２】
2019534613.tif 000022
【図１４−３】
2019534613.tif 000023
【図１５−１】
2019534613.tif 000024
【図１５−２】
2019534613.tif 000025
【図１６ａ】
2019534613.tif 000026
【図１６ｂ】
2019534613.tif 000027
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
無線基地局（ＲＢＳ）（１０２）において実施される、無線通信デバイス（１０３）のためのリソースをスケジューリングする方法であって、
データの送信または受信がグラントされることを前記無線通信デバイス（１０３）に示すようにダウンリンク制御情報（ＤＣＩ）のビットフィールドを設定すること（Ｓ４）と、
前記ＤＣＩおよびダウンリンク制御チャネルのデータフレーム内の前記ＤＣＩの位置に基づいて、前記無線通信デバイス（１０３）がデータを送信または受信するためのリソースのグラントを示すこと（Ｓ５）とを含む、方法。
【請求項２】
前記無線通信デバイス（１０３）がアップリンク送信またはダウンリンク受信を実施する必要性を検出すること（Ｓ１）をさらに含む、請求項１に記載の方法。
【請求項３】
前記ダウンリンク制御チャネル上の前記データフレームを前記無線通信デバイス（１０３）に送信するための時間間隔を選択すること（Ｓ３）をさらに含む、請求項１または２に記載の方法。
【請求項４】
グラントされた前記リソースの標示の際に、前記無線通信デバイス（１０３）にデータを送信すること、または前記無線通信デバイス（１０３）からデータを受信すること（Ｓ８）をさらに含む、請求項１から３のいずれか一項に記載の方法。
【請求項５】
前記ＤＣＩ内で、アップリンク送信において送信されるべき復調用参照信号（ＤＭＲＳ）の位置をシグナリングすることをさらに含む、請求項１から４のいずれか一項に記載の方法。
【請求項６】
ダウンリンク制御チャネルのデータフレーム内の前記ＤＣＩの前記位置が、ダウンリンクショート送信時間間隔（ｓＴＴＩ）指数を用いて示される、請求項１から５のいずれか一項に記載の方法。
【請求項７】
前記無線通信デバイス（１０３）にグラントされるリソースの量およびデータの送信または受信のタイミングを決定すること（Ｓ２）をさらに含む、請求項１から６のいずれか一項に記載の方法。
【請求項８】
前記ＤＣＩおよびダウンリンク制御チャネルのデータフレーム内の前記ＤＣＩの前記位置が、ＤＭＲＳ設定、データシンボル設定、および前記無線通信デバイス（１０３）のアップリンク送信またはダウンリンク受信のための対応するデータフレームのショートＴＴＩ長を示す、請求項１から７のいずれか一項に記載の方法。
【請求項９】
無線通信デバイス（１０３）のためのリソースをスケジューリングするように設定される無線基地局（ＲＢＳ）（１０２）であって、処理ユニット（１３１）およびメモリ（１３３）を備え、前記メモリが、前記処理ユニットによって実行可能な命令（１３２）を含み、それにより前記ＲＢＳ（１０２）が、データの送信または受信がグラントされることを前記無線通信デバイス（１０３）に示すようにダウンリンク制御情報（ＤＣＩ）のビットフィールドを設定するように、および
前記ＤＣＩおよびダウンリンク制御チャネルのデータフレーム内の前記ＤＣＩの位置に基づいて、前記無線通信デバイス（１０３）がデータを送信または受信するためのリソースのグラントを示すように作動する、無線基地局（ＲＢＳ）（１０２）。
【請求項１０】
前記無線通信デバイス（１０３）がアップリンク送信またはダウンリンク受信を実施する必要性を検出するようにさらに作動する、請求項９に記載のＲＢＳ（１０２）。
【請求項１１】
前記ダウンリンク制御チャネル上の前記データフレームを前記無線通信デバイス（１０３）に送信するための時間間隔を選択するようにさらに作動する、請求項９または１０に記載のＲＢＳ（１０２）。
【請求項１２】
無線通信デバイス（１０３）において実施される、データ送信またはデータ受信がグラントされる方法であって、
無線基地局（ＲＢＳ）（１０２）からダウンリンク制御チャネルのデータフレームを受信すること（Ｓ５）と、
ダウンリンク制御情報（ＤＣＩ）および前記ダウンリンク制御チャネルの前記データフレーム内の前記ＤＣＩの位置に基づいて、データの送信または受信のグラントされたリソースを決定すること（Ｓ７）と、を含む、方法。
【請求項１３】
グラントされた前記リソースを使用して、前記ＲＢＳ（１０２）にデータを送信すること、または前記ＲＢＳ（１０２）からデータを受信すること（Ｓ８）をさらに含む、請求項１２に記載の方法。
【請求項１４】
前記ＤＣＩから、アップリンク送信において送信されるべき復調用参照信号（ＤＭＲＳ）の位置を決定することをさらに含む、請求項１２または１３に記載の方法。
【請求項１５】
前記ダウンリンク制御チャネルの前記データフレーム内の前記ＤＣＩの前記位置が、前記ＤＣＩが送信されるダウンリンクショート送信時間間隔（ｓＴＴＩ）指数によって得られる、請求項１２から１４のいずれか一項に記載の方法。
【請求項１６】
前記ＤＣＩおよび前記ダウンリンク制御チャネルの前記データフレーム内の前記ＤＣＩの前記位置から、ＤＭＲＳ設定、データシンボル設定、およびアップリンク送信またはダウンリンク受信のための対応するデータフレームのショートＴＴＩ長を決定することをさらに含む、請求項１２から１５のいずれか一項に記載の方法。
【請求項１７】
前記ダウンリンク制御チャネルの前記データフレーム内の前記ＤＣＩの位置から、グラントされたアップリンクリソースのスケジューリングを決定することをさらに含む、請求項１２から１６のいずれか一項に記載の方法。
【請求項１８】
受信された前記ＤＣＩについて、グラントされた前記リソースが、既定の数のショート送信時間間隔（ｓＴＴＩ）におけるアップリンク送信のために、前記ＤＣＩが受信される前記ｓＴＴＩからスケジューリングされる、請求項１２から１７のいずれか一項に記載の方法。
【請求項１９】
受信された前記ＤＣＩについて、グラントされた前記リソースが、次のサブフレーム内の対応するｓＴＴＩ指数におけるアップリンク送信のためにスケジューリングされる、請求項１２から１８のいずれか一項に記載の方法。
【請求項２０】
データ送信またはデータ受信がグラントされるかどうかを決定するように設定される無線通信デバイス（１０３）であって、処理回路（１２１）およびメモリ（１２３）を備え、前記メモリが、前記処理回路によって実行可能な命令（１２２）を含み、それにより前記無線通信デバイス（１０３）が、
無線基地局（ＲＢＳ）（１０２）からダウンリンク制御チャネルのデータフレームを受信するように、および
ダウンリンク制御情報（ＤＣＩ）および前記ダウンリンク制御チャネルの前記データフレーム内の前記ＤＣＩの位置に基づいて、データの送信または受信のグラントされたリソースを決定するように作動する、無線通信デバイス（１０３）。
【請求項２１】
グラントの標示の際に、前記無線通信デバイス（１０３）にデータを送信する、または前記無線通信デバイス（１０３）からデータを受信するようにさらに作動する、請求項２０に記載の無線通信デバイス（１０３）。
【請求項２２】
前記ＤＣＩから、アップリンク送信において送信されるべき復調用参照信号（ＤＭＲＳ）の位置を決定するようにさらに作動する、請求項２０または２１に記載の無線通信デバイス（１０３）。
【国際調査報告】
2019534613.tif 000028
2019534613.tif 000029
2019534613.tif 000030
2019534613.tif 000031